【手続補正書】
【提出日】平成23年9月8日(2011.9.8)
【手続補正１】
【補正対象書類名】特許請求の範囲
【補正対象項目名】全文
【補正方法】変更
【補正の内容】
【特許請求の範囲】
【請求項１】
記録媒体の上を相対的に走査しながら、前記記録媒体の表面に、異なる色のドットを個別に付着させるための記録素子における色の付着動作を制御する制御装置であって、
前記異なる色のドットが相互に近づかないようにするための制約を示す制約情報を色毎に個別に作成する制約情報作成手段と、
前記制約情報作成手段により作成された制約情報に基づいて、入力された画像データに対してＮ値化処理（Ｎは２以上の整数）を施して、当該画像データに基づく画像を前記記録媒体の表面に形成するためのドットパターンを色毎に個別に作成するドットパターン作成手段とを有し、
前記制約情報作成手段は、前記記録素子における同一の走査内での前記制約を、前記記録素子における異なる走査間における前記制約よりも強くするように、前記制約情報を作成することを特徴とする制御装置。
【請求項２】
前記記録素子は、記録媒体の上を相対的に往復するものであり、且つ前記異なる色の往路における付着順と復路における付着順とが入れ替わるものであり、
前記制約情報作成手段は、前記色毎の制約情報の作成順を、前記往路と前記復路とで入れ替えるようにし、
前記ドットパターン作成手段は、前記色毎のドットパターンの作成順を、前記往路と前記復路とで入れ替えるようにすることを特徴とする請求項１に記載の制御装置。
【請求項３】
前記記録素子は、記録媒体の上を相対的に往復するものであり、且つ前記異なる色の往路における付着順と復路における付着順とが入れ替わらないものであり、
前記制約情報作成手段は、前記色毎の制約情報の作成順を、前記往路と前記復路とで同じにし、
前記ドットパターン作成手段は、前記色毎のドットパターンの作成順を、前記往路と前記復路とで同じにすることを特徴とする請求項１に記載の制御装置。
【請求項４】
前記記録素子は、記録媒体の上を相対的に往復するものであり、
前記制約情報作成手段は、前記異なる色における前記制約が、前記異なる色の往路と復路とで異なるように、前記制約情報を作成することを特徴とする請求項１〜３の何れか１項に記載の制御装置。
【請求項５】
前記制約情報作成手段は、前記異なる色における前記復路での前記制約を、前記往路での前記制約よりも強くするように、前記制約情報を作成することを特徴とする請求項４に記載の制御装置。
【請求項６】
記録媒体の上を相対的に走査しながら、前記記録媒体の表面に、異なる色のドットを個別に付着させるための記録素子における色の付着動作を制御する制御方法であって、
前記異なる色のドットが相互に近づかないようにするための制約を示す制約情報を色毎に個別に作成する制約情報作成ステップと、
前記制約情報作成ステップにより作成された制約情報に基づいて、入力された画像データに対してＮ値化処理（Ｎは２以上の整数）を施して、当該画像データに基づく画像を前記記録媒体の表面に形成するためのドットパターンを色毎に個別に作成するドットパターン作成ステップとを有し、
前記制約情報作成ステップは、前記記録素子における同一の走査内での前記制約を、前記記録素子における異なる走査間における前記制約よりも強くするように、前記制約情報を作成することを特徴とする制御方法。
【請求項７】
記録媒体の上を相対的に走査しながら、前記記録媒体の表面に、異なる色のドットを個別に付着させるための記録素子における色の付着動作を制御するための処理をコンピュータに実行させるためのコンピュータプログラムあって、
前記異なる色のドットが相互に近づかないようにするための制約を示す制約情報を色毎に個別に作成する制約情報作成ステップと、
前記制約情報作成ステップにより作成された制約情報に基づいて、入力された画像データに対してＮ値化処理（Ｎは２以上の整数）を施して、当該画像データに基づく画像を前記記録媒体の表面に形成するためのドットパターンを色毎に個別に作成するドットパターン作成ステップとをコンピュータに実行させ、
前記制約情報作成ステップは、前記記録素子における同一の走査内での前記制約を、前記記録素子における異なる走査間における前記制約よりも強くするように、前記制約情報を作成することを特徴とするコンピュータプログラム。
【手続補正２】
【補正対象書類名】明細書
【補正対象項目名】０００１
【補正方法】変更
【補正の内容】
【０００１】
本発明は、制御装置、制御方法、及びコンピュータプログラムに関し、特に、記録媒体に画像を形成するために用いて好適なものである。
【手続補正３】
【補正対象書類名】明細書
【補正対象項目名】０００８
【補正方法】変更
【補正の内容】
【０００８】
本発明は、このような問題点に鑑みてなされたものであり、記録媒体上に従来よりも良好にドットを配置することを目的とする。
【手続補正４】
【補正対象書類名】明細書
【補正対象項目名】０００９
【補正方法】変更
【補正の内容】
【０００９】
本発明の制御装置は、記録媒体の上を相対的に走査しながら、前記記録媒体の表面に、異なる色のドットを個別に付着させるための記録素子における色の付着動作を制御する制御装置であって、前記異なる色のドットが相互に近づかないようにするための制約を示す制約情報を色毎に個別に作成する制約情報作成手段と、前記制約情報作成手段により作成された制約情報に基づいて、入力された画像データに対してＮ値化処理（Ｎは２以上の整数）を施して、当該画像データに基づく画像を前記記録媒体の表面に形成するためのドットパターンを色毎に個別に作成するドットパターン作成手段とを有し、前記制約情報作成手段は、前記記録素子における同一の走査内での前記制約を、前記記録素子における異なる走査間における前記制約よりも強くするように、前記制約情報を作成することを特徴とする。
【手続補正５】
【補正対象書類名】明細書
【補正対象項目名】００１０
【補正方法】変更
【補正の内容】
【００１０】
本発明の制御方法は、記録媒体の上を相対的に走査しながら、前記記録媒体の表面に、異なる色のドットを個別に付着させるための記録素子における色の付着動作を制御する制御方法であって、前記異なる色のドットが相互に近づかないようにするための制約を示す制約情報を色毎に個別に作成する制約情報作成ステップと、前記制約情報作成ステップにより作成された制約情報に基づいて、入力された画像データに対してＮ値化処理（Ｎは２以上の整数）を施して、当該画像データに基づく画像を前記記録媒体の表面に形成するためのドットパターンを色毎に個別に作成するドットパターン作成ステップとを有し、前記制約情報作成ステップは、前記記録素子における同一の走査内での前記制約を、前記記録素子における異なる走査間における前記制約よりも強くするように、前記制約情報を作成することを特徴とする。
【手続補正６】
【補正対象書類名】明細書
【補正対象項目名】００１１
【補正方法】変更
【補正の内容】
【００１１】
本発明のコンピュータプログラムは、記録媒体の上を相対的に走査しながら、前記記録媒体の表面に、異なる色のドットを個別に付着させるための記録素子における色の付着動作を制御するための処理をコンピュータに実行させるためのコンピュータプログラムあって、前記異なる色のドットが相互に近づかないようにするための制約を示す制約情報を色毎に個別に作成する制約情報作成ステップと、前記制約情報作成ステップにより作成された制約情報に基づいて、入力された画像データに対してＮ値化処理（Ｎは２以上の整数）を施して、当該画像データに基づく画像を前記記録媒体の表面に形成するためのドットパターンを色毎に個別に作成するドットパターン作成ステップとをコンピュータに実行させ、前記制約情報作成ステップは、前記記録素子における同一の走査内での前記制約を、前記記録素子における異なる走査間における前記制約よりも強くするように、前記制約情報を作成することを特徴とする。
【手続補正７】
【補正対象書類名】明細書
【補正対象項目名】００１２
【補正方法】変更
【補正の内容】
【００１２】
本発明によれば、異なる色のドットが相互に近づかないようにするための制約が、記録素子における同一の走査内におけるものの方が、異なる走査間におけるものよりも強くなるようにした。したがって、ある色のドットが記録媒体の表面に付着してから、その色と異なる色のドットが記録媒体の表面に付着するまでの時間が短い場合に、それらのドットを相互に近づけないようにすることができる。したがって、記録媒体上に従来よりも良好にドットを配置することができる。